(57)【特許請求の範囲】
【請求項１】
中袋にかたい木綿わたを入れて枕の本体とじ、中袋を枕カバーで包んだときの大きさは、横幅を寝ていて、頭の大きい人が、左右に寝返りしても、頭が枕からはずれないように６０ｃｍとし、縦幅を３８ｃｍとし、高さは５．３ｃｍとし、
当該カバーに、肌に触感の良い木綿製のタオル生地を用いて、横幅６０ｃｍ、縦幅３８ｃｍ、１枚の厚みは４ｍｍとした３枚の硬軟調整布をとりつける取付部を設けたことにより、使うときの状況に応じて手軽に枚数を変えて、枕の硬軟の度合いを使い分けできるようにすることを特徴とする枕。
【発明の詳細な説明】
【技術分野】
【０００１】本発明は睡眠用枕の新しいタイプに関するもので、以下調整布つき枕について説明する。
人間の頭の形、大小、頭皮の硬軟、髪の長短、量の多い少ない等の身体条件や散髪、パーマの前後等生活の変化に合せた枕のかたさ、やわらかさを手軽に変えて、使える調整布をつける。枕カバーをつけた枕の大きさは、横幅を寝ていて、頭の大きい人が、左右に寝返りしても、頭が枕からはずれないように６０ｃｍとし、縦幅を現在日本で市販または一般の家庭で使われている枕の大きさ、横幅４５〜５０ｃｍ程度、縦幅３０〜３５ｃｍ程度、高さ８〜１２ｃｍ程度が主流となっているが、これの幅のあるものより、少し長くした３８ｃｍとし、高さを前記の平均的「１０ｃｍ」より低いものとした。これを使うときの状況に合わせて枕の硬軟の度合いを使いわけできるようにするもので、具体的には下記による。
（１）硬軟調整布
▲１▼調整布の大きさ、厚み、枚数
大きさ、横幅６０ｃｍ  縦幅３８ｃｍ
厚み、１枚４ｍｍ  枚数３枚
▲２▼調整布の素材
木綿製タオル生地とする。
▲３▼枕カバーへの取付部の大きさ、取付方法、素材
取付部の大きさ、横幅６０ｃｍ、縦幅５ｃｍ
取付はホックを用いる。素材は調整布に同じ、
▲４▼調整布の使い方
枕の本体部（中袋を枕カバーに入れたもの）にかぶせる形で使い、身体の状況に応じて１枚にしたり、２枚にしたり、３枚にしたりして使う。
（２）枕カバー（ピローケース）
▲１▼枕カバーの大きさ
横幅６０ｃｍ縦幅３３ｃｍ＋５ｃｍ（調整布取付部）高さ５．３ｃｍ
横幅を長くしたのは、頭の大きい人が、左右に寝返りしても頭が枕からはずれないようにするため。
▲２▼枕カバーの素材
木綿、合繊、木綿と合繊の混紡の何れかとする。
▲３▼硬軟調整布の取付部
枕カバーに調整布取付部として、横幅６０ｃｍ、縦幅５ｃｍを設ける。素材は枕カバーに同じ。
取付はホックを用いる。
▲４▼中袋の入れ口
フアスナーを取付けて中袋の出し入れを容易にすると共に洗濯しやすくする。
（３）枕の中袋
▲１▼中袋の大きさ、素材
枕の本体ともいうべき中袋の大きさは枕カバーよりやゝ小さくする必要から横幅５９ｃｍ縦幅３２ｃｍ厚み４．８ｃｍとする。
素材は枕カバーに同じ。
▲２▼中袋の中材
中袋の中材はかたい木綿わたとする。
中材を入れたら、入口は縫合する。
補足
本明細書の調整布、枕カバー、中袋の大きさは大人が使うことを前提としていることから子供用としては横幅５〜１０ｃｍ、縦幅２〜３ｃｍ、高さ１ｃｍ程度小さくする必要があるので念のため補足します。
【背景技術】
【０００２】  昔は俵型の枕が多く使われ、中材はもみがら、そばがら等農産物のものが多く横幅が３５〜４０ｃｍ程度高さが１５〜１８ｃｍ程度のもので、かためが多かった。太平洋戦争後もしばらく使われていたが、昭和３０年代初め頃より長方形のものが出てきて、旅館、ホテル等の需要が増え、衣料品メーカーにより大量に作られるようになり、一般家庭でも使われ現在これが主流になっている。大きさは横幅４５〜５０ｃｍ程度縦幅３０〜３５ｃｍ程度、高さが８〜１２ｃｍ程度、中材は木綿わた、そばがら、ウレタンが主に使われ、一部ひのきの実のものがある。また最近繭形で横幅５０ｃｍ縦幅、くびれた部分２６ｃｍ両端３７ｃｍ高さ７ｃｍのもの、横向寝枕として横幅７０ｃｍ縦幅、長い部分３８ｃｍ、短い部分３０ｃｍ高さ７ｃｍの変った形のものが、小量でている。これらは使われている中材から、全体的にやわらかく寝ていて頭部の枕への沈みこみが１／３〜２／５程度である。枕カバーの素材は綿、合繊、綿と合繊の混紡が殆どである。以上が現在市販されている枕、旅館、ホテル、家庭で使われている枕のあらましである。
【発明の開示】
【発明が解決しようとする課題】
【０００３】最近の報道で良い睡眠を得るための条件は▲１▼低い枕▲２▼枕の本体がかたいが定説となると予測される。現在一般家庭で使われ、また市販されている枕についてみると全般的に本体がやわらかいものが大半である。また枕の高さについては、これまで多く使われてきた長方形のものは８〜１２ｃｍ程度と高いものが主流となっている。最近の健康志向から高さが７ｃｍ程度のものが出てきて、枕の高さはやゝ高い程度で、特に問題とする程のものではないが、枕本体の中材はやわらかいことが良く眠れるという考えからか、やわらかい木綿わたやウレタン等が使われていて全体的にみて、やわらかい枕が大半である。
【課題を解決するための手段】
【０００４】前記の高い枕、本体部分がやわらかい枕について、先に記述したように枕の高さを６．５ｃｍとする。枕の本体となる中袋に入れる中材をかたい木綿わたを使い寝ていて頭部の枕への沈みこみが１／４〜１／５程度になるようにする。しかしながら枕本体部分がただかたければよいというものではなく、寝たときの頭への触感も大事な条件となることからタオル生地による硬軟調整布を用いることにより触感を良くし、かなりの条件改善が可能になる。
【発明の効果】
【０００５】  特許請求の範囲で詳述したように人間の身体条件や生活の変化に適応できるような枕にするために、手軽に使い心地がよいように調整して使えるので現在市販されている枕と比較して、より良い睡眠が得られるようになる。
【発明が実施されるための最良の形態】
【０００６】  この枕を作るための繊維、綿、ファスナー、ホック等は公知の品で、一般の家庭に於て主婦、使用人等による手作り、内職による手作りが可能ですが、製作数に限りがあります。より広い範囲で使ってもらうためには、衣料品メーカーによる製作がよいと思われる衣料品メーカーの製作手順は常識的には硬軟調整布、枕カバー、枕の内袋ごとに必要とする素材．部品を品揃いした上で、それぞれの生産ラインにより作られたものを組立ラインにより商品として完成する。以上により需要に応じて生産された商品が市場に供給されることが最良の形態と考えられる。
【実施例】
【０００７】試作品により使ってみた結果、これまでの長方形の枕より良く眠れるようになった。
【産業上の利用可能性】
【０００８】衣料品メーカー、専門店等による製作が考えられますが、現段階では他の分野での利用は考えつきません。
【図面の簡単な説明】
【０００９】
【図１】（１）硬軟調整布及び枕カバーへの取付部の立面図（２）図の大きさは原寸の１／５（３）硬軟調整布の３枚の区分表示は図の大きさが原寸の１／５のため正確な表示ができないため省略
【図２】（１）枕カバー及び硬軟調整布取付部の立面図（２）図の大きさは原寸の１／５
【図３】（１）枕中袋の立面図（２）図の大きさは原寸の１／５
【符号の説明】
【００１０】（１）図１のＡは枕カバーへの取付のためのホック
（２）図２のＡは調整布を取付るためのホック
（３）図２のＢはファスナー
（４）図３のＡは中袋に中材を入れた後の縫合か所
【図１】
0004534214.tif 000002
【図２】
0004534214.tif 000003
【図３】
0004534214.tif 000004